(57)【要約】【課題】カーテン生地やタッセル生地が有効に利用できて、しかも縫製が容易で、装飾効果の高いカーテンとタッセルを提供することにある。【解決手段】カーテンは、カーテン生地２の少なくとも生地下端部２ｂを切断しながら、切残し側の生地下縁部に沿って重り３０を配置し、重り３０を含めてカーテン生地２の配色や模様に応じた数色の色糸３でかがり縫いし、その色糸３で連続模様４を生地下縁に沿って備えている。タッセルは、タッセル生地６を二つ折にして折布体７を形成し、その折布表片１７と折布裏片２７との間に芯材２０を介在し、折布体７の少なくとも長手側切断端部８ａを切断しながらタッセル生地６の配色や模様に応じた数色の色糸３でかがり縫いし、その色糸３で帯状体８の長手側に連続模様４を形成している。【選択図】        図１
2005052241.tif 000002
【特許請求の範囲】
【請求項１】
カーテン生地（２）の少なくとも生地下端部（２ｂ）を数色の色糸（３）でかがり縫いし、そのかがり縫いした色糸（３）にて連続模様（４）を形成していることを特徴とするカーテン。
【請求項２】
カーテン生地（２）の生地下端部（２ｂ）を切断しながら、切残し側の生地下縁部に沿って重り（３０）を配置し、重り（３０）を含めてカーテン生地（２）の配色や模様に応じた数色の色糸（３）でかがり縫いし、そのかがり縫いした色糸（３）にて連続模様（４）を生地下縁に沿って形成していることを特徴とする請求項１記載のカーテン。
【請求項３】
タッセル生地（６）を二つ折にした折布体（７）を形成し、その折布表片（１７）と折布裏片（２７）の少なくとも長手側折重端部（８ａ）を数色の色糸（３）でかがり縫いした帯状体（８）を形成し、かがり縫いした色糸（３）にて連続模様（４）を帯状体（８）の長手側折重端部（８ａ）に添って形成していることを特徴とするタッセル。
【請求項４】
折布体（７）の折布表片（１７）と折布裏片（２７）との間に芯材（２０）を介在し、折布体（７）の少なくとも長手側折重端部（８ａ）を切断しながらタッセル生地（６）の配色や模様に応じた数色の色糸（３）でかがり縫いし、そのかがり縫いした色糸（３）にて連続模様（４）を形成していることを特徴とする請求項３記載のタッセル。
【請求項５】
帯状体（８）の左端部（８ｂ）と右端部（８ｃ）を数色の色糸（３）でかがり縫いし、そのかがり縫いした色糸（３）にて帯状体（８）の左右両側縁に連続模様（４）を形成し、且つ、帯状体（８）の左右の一方側にボタン（１５）を、他方側にボタンホール（２５）を備えていることを特徴とする請求項３または４記載のタッセル。
【請求項６】
タッセル生地（６）の経糸と緯糸との少なくとも一方に樹脂系の糸を用い、帯状体（８）のボタンホール（２５）を、高周波手段と超音波手段とヒートカット手段との内の一手段を用いて切断しながら溶着して形成していることを特徴とする請求項５記載のタッセル。
【発明の詳細な説明】
【０００１】
【発明の属する技術分野】
この発明は、主に窓の室内側に吊り下げるカーテンと、開放したカーテンを纏めて束ねるタッセルに関するものである。
【０００２】
【従来の技術】
従来のカーテンは図１３の如く、カーテン生地２の生地上側に芯地部１１を設け、該芯地部１１の一部をカーテン幅方向に折り重ね、その重合部を縫着して各種のヒダ１２を形成し、カーテン生地２の下端部２と左右端部２ｃ，２ｄとを各々内側に折返し、その折返し片を縫糸Ｆでミシン縫いし、生地切断部からのほつれを防止していた。
薄手のカーテンにあっては、生地下端部に沿って重りを配置し、重りを巻き込むようにして生地下端部をミシン等で縫着していた。
【０００３】
従来のタッセルは図１４の如く、先ずタッセル生地６の上半分に芯材２０を重ね、生地上端部を芯材２０の上側に折返し、その上折返し片６ａと芯材２０とタッセル生地６とを先ず縫糸Ｆ１で縫着し、次いで生地下端部を内側に折返し、下半分を上半分側に折りたたみ、下折返し片６ｂを芯材２０の縫着部に重ね、それらの全体を再度縫糸Ｆ２で縫着し、生地切断部からのほつれを防止していた。
厚手のタッセルにあっては、芯材２０の介在を省略することもある。
【０００４】
【発明が解決しようとする課題】
カーテンにあっては、カーテンの下端縁部が注目されないとして、疎かに処理されていたが、生活の多様化に伴い、カーテンを室内中間部に吊下げたり、室内の上側から中間部にまで吊下げたりすることも増え、それに伴い下端縁部の処理が目障りになる問題点が生じてきた。
また、タッセルにあっては、折布表片と折布裏片の長手側端部を各々内側に折返して縫着しているので、折返し分だけ多くの生地を必要とし、その分だけ材料費が嵩むばかりか、芯材の縫着と下半分の折重ね縫着との２度縫着を必要とするので、量産性に乏しく高価になる問題点があると共に、片側に２度縫した糸目が表れるので、美感を重視するタッセルとしても問題点があった。
そこでこの発明は、従来技術の有するこのような問題点に鑑みてなされたものであり、その目的とするところは、カーテン生地やタッセル生地が有効に利用できて、しかも縫製が容易で、装飾効果の高いカーテンとタッセルを提供することにある。
【０００５】
【課題を解決するための手段】
上記目的を達成するために、本発明のカーテンは、請求項１として、カーテン生地の少なくとも生地下端部を数色の色糸でかがり縫いし、そのかがり縫いした色糸にて連続模様を生地下縁に沿って形成している。
請求項２として、請求項１のカーテンにおいて、カーテン生地の生地下端部を切断しながら、切残し側の生地下縁部に沿って重りを配置し、重りを含めてカーテン生地の配色や模様に応じた数色の色糸でかがり縫いし、そのかがり縫いした色糸にて連続模様を形成している。
【０００６】
ここでカーテン生地とは、カーテンの素材となるものであり、織物生地、レース編み生地等を言い、配色や模様を施すものも含まれる。
ここで数色の色糸とは、２〜５本の色糸を言い、例えば白糸、赤糸、青糸、紫糸、緑糸、水色糸、桃色糸、紺色糸、橙色糸等を言う。
ここでかがり縫いとは、数色の色糸を上色糸と下色糸と針色糸として用い、その内、上色糸と下色糸とを絡ませながらかがり縫いする二色縫いと、上色糸と下色糸と針色糸とを絡ませながらかがり縫いする三色縫いとを言い、連続模様とは、かがり縫いした色糸により表現した模様の総てを言い、模様の多くは略一定幅の範囲内で一定間隔で繰返しており、波状模様が代表的である。
【０００７】
また、本発明のタッセルは、請求項３として、タッセル生地を二つ折にして折布体を形成し、その折布表片と折布裏片の少なくとも長手側折重端部を数色の色糸でかがり縫いして帯状体を形成し、かがり縫いした色糸にて連続模様を帯状体の長手側折重端部に添って形成している。
請求項４として、請求項３のタッセルにおいて、折布体の折布表片と折布裏片との間に芯材を介在し、折布体の少なくとも長手側折重端部を切断しながらタッセル生地の配色や模様に応じた数色の色糸でかがり縫いし、そのかがり縫いした色糸にて連続模様を形成している。
請求項５として、請求項３，４のタッセルにおいて、帯状体の左端部と右端部を数色の色糸でかがり縫いし、そのかがり縫いした色糸にて帯状体の左右両側縁に連続模様を形成し、且つ帯状体の左右の一方側にボタンを、他方側にボタンホールを備えている。
請求項６として、請求項５のタッセルにおいて、タッセル生地の経糸と緯糸との少なくとも一方に樹脂系の糸を用い、帯状体のボタンホールを、高周波手段と超音波手段とヒートカット手段との内の一手段を用いて切断しながら溶着して形成している。
【０００８】
ここでタッセル生地とは、タッセルの素材となるもので、例えば織物やレース編み物等を言い、織物にあっては経糸と緯糸との少なくとも一方を樹脂系の糸で織成したものが好ましい。
ここで帯状体とは、タッセル生地、又はタッセル生地と芯材より形成するものを言い、少なくとも長手側折重端部を切断しながらカーテン生地と同様に数色の色糸でかがり縫いし、連続模様を形成するものを言う。
ここでボタンホールとは、ボタンの挿通が可能で、且つ挿通状態で係止しておける穴を言う。
【０００９】
【発明の実施の形態】
先ず、本発明によるカーテンの実施形態を図１に基づき説明すれば、カーテン１はカーテン生地２の上側に芯地部１１を設け、芯地部１１の一部をカーテン幅Ｈに沿って折り重ねて縫着したヒダ１２を形成する一方、生地下端部２ｂを切断しながら二色の色糸３（以下、上色糸１３と下色糸２３とする）でかがり縫いするか、生地下端部２ｂを切断しながら切残し側の下縁に沿って重り３０を配置し、重り３０を含めて上色糸１３と下色糸２３とでかがり縫いし、そのかがり縫いした色糸１３，２３にて連続模様４を生地下端部２ｂに添って形成するものであり、かがり縫いに用いる上下色糸１３，２３として、カーテン生地２の配色や模様に応じた色糸３を用いることが好ましい。
【００１０】
次に、本発明によるタッセルの第一実施形態を図２に基づき説明すれば、タッセル生地６を長手方向に沿って二つ折にして折布体７を形成し、該折布体７の折布表片１７と折布裏片２７の少なくとも長手側折重端部８ａを、折布体７の一端側から他端側に向けて切断し、切除部１８を排除しながら切残し側を二色の色糸３（以下、上色糸１３と下色糸２３とする）を用いてかがり縫いし、そのかがり縫いした上色糸１３と下色糸２３にて連続模様４を表現した図４の如く帯状体８を形成する一方、帯状体８の左右端から内部に紐９の両端部９ａ，９ｂを挿入し、帯状体８の左右端部８ｂ，８ｃを縫い着し、帯状体８の左右に紐９から成る耳部１９を設けている。
【００１１】
本発明によるタッセルの第二実施形態を、第一実施形態と相違する点について説明すれば、第二実施形態のタッセル５は図３の如く、タッセル生地６の経糸と緯糸との少なくとも一方に樹脂系の糸（図示せず）を用い、折布体７の折布表片１７と折布裏片２７との間に芯材２０を介在し、折布体７の長手側折重端部８ａ、具体的には折布表片１７と折布裏片２７の長手側を切断しながらタッセル生地６の配色や模様に応じた数色の色糸３でかがり縫いし、そのかがり縫いした色糸３にて連続模様４を形成する一方、帯状体８の左端部８ｂと右端部８ｃも数色の色糸３でかがり縫いし、その色糸３で帯状体８の左右両側縁にも連続模様４を形成し、且つ帯状体８の左右の一方側にボタン１５を取付け、他方側に高周波手段と超音波手段とヒートカット手段との内の一手段を用いてボタンホール２５を形成している。
【００１２】
第二実施形態のタッセルにあっては、先ず二つ折にした折布体７の折布表片１７と折布裏片２７の間に芯材２０を介在し、折布体７の長手側折重端部８ａを切断しながら数色の色糸３でかがり縫いすると共に、帯状体８の左右端部８ｂ，８ｃも同色の色糸３を用いてかがり縫いし、左右両端にもかがり縫いした色糸３にて連続模様４を形成している。
次いで帯状体８の左側に高周波手段を用いて高周波を照射すれば、高周波の照射経路に従って樹脂系の糸が溶融切断し、切口を融着してボタンホール２５を形成する。最後にボタン１５を取付ける。
【００１３】
本発明のタッセルにおいて、二色の色糸３（上色糸１３と下色糸２３）を用いてかがり縫いする場合について説明すると、折布体７の長手側折重端部８ａを切断しながら上色糸１３と下色糸２３とでかがり縫いする。例えば図５の如く上色糸１３と下色糸１３，２３は各々ループ１３ａ，２３ａを形成しながら絡み合い、下色糸２３と絡みあった上色糸１３は折布体７の表側において、折布体切断面７ａから１ｃｍ以内に縫い込まれて表側模様境界線４ａと成り、上色糸１３と絡みあった下色糸２３は折布体７の裏側において、折布体切断面７ａから１ｃｍ以内に縫い込まれて裏側模様境界線４ｂと成り、上色糸１３により表側模様境界線４ａを基準として折布体切断面７ａに向けて波状を成す第一模様部１４を、下色糸２３により裏側模様境界線４ｂを基準として折布体切断面７ａに向けて波状を成す第二模様部２４を形成し、第一模様部１４が折布体切断面７ａを跨いで裏側まで達するか、第二模様部２４が折布体切断面７ａを跨いで表側まで達し、或は第一模様部１４と第二模様部２４とが交互に折布体切断面７ａを跨いで反対側まで達することにより、折布体切断面７ａのほつれを防止している。
【００１４】
カーテン１、及びタッセル５において、二色の色糸３（上色糸１３と下色糸２３）を用いてかがり縫いすれば、図６，７の如く連続模様４を形成することができる。二色の色糸３として、例えば表１の如く色糸３の配色パターンを用いることも可能である。
【表１】
2005052241.tif 000003
【００１５】
本発明タッセルにおいて、三色の色糸３（上色糸１３と下色糸２３と針色糸３３）を用いてかがり縫いする場合について説明すると、折布体７の長手側折重端部８ａを切断しながら上色糸１３と下色糸２３と針色糸３３でかがり縫いし、折布体７の長手側に上色糸１３と下色糸２３と針色糸３３からなる連続模様４を形成する。
例えば図８の如く上色糸１３と下色糸２３と針色糸３３は各々ループ１３ａ，２３ａ，３３ａを形成しながら絡み合い、下色糸２３と絡みあった上色糸１３は折布体７の表側において、折布体切断面７ａから１ｃｍ以内に縫い込まれ、表側模様境界線４ａと成り、下色糸２３と絡みあった針色糸３３は折布体７の裏側において、折布体切断面７ａから１ｃｍ以内に縫い込まれ、裏側模様境界線４ｂと成り、上色糸１３により表側模様境界線４ａを基準として折布体切断面７ａに向けて波状を成す第一模様部１４を、針色糸３３により裏側模様境界線４ｂを基準として折布体切断面７ａに向けて波状を成す第二模様部２４を形成すると共に、上色糸１３と針色糸３３に絡みあった下色糸２３により、第一模様部１４と第二模様部２４との間に第三模様部３４を形成する。
第一模様部１４が折布体切断面７ａを跨いで裏側まで達するか、第二模様部２４が折布体切断面７ａを跨いで表側まで達し、或は第三模様部３４が表側と裏側とに跨ることにより、折布体切断面７ａのほつれを防止する。
【００１６】
カーテン１、及びタッセル５において、三色の色糸３（上色糸１３と下色糸２３と針色糸３３）を用いてかがり縫いすれば、上色糸１３と下色糸２３と針色糸３３により連続模様４が形成される。この連続模様４は表側において図９の如く模様を、裏側において図１０の如く模様を形成する。三色の色糸３として、例えば表２の如く色糸３の配色パターンを用いることも可能である。
【表２】
2005052241.tif 000004
【００１７】
【実施例】
カーテン生地２として、薄地、薄地、中厚地、厚地の織物、及びレース編地を用い、芯地部１１は、生地上端部２ａを折り重ねて縫着形成するか、生地上端部２ａに芯材１０を介在し、折り重ねて縫着形成する。
カーテン生地２の生地左端部２ｃと生地右端部２ｄを、生地下端部２ｂと同様に数色の色糸３でかがり縫いし、その色糸３からなる連続模様４をカーテン生地２の左右端部２ｃ，２ｄに形成することも可能である。
【００１８】
本発明のカーテンにおいて、二色の色糸３（上色糸１３と下色糸２３）を用いてかがり縫いする場合、タッセル５における二色の色糸３による縫いと同様に、カーテン生地２の下端部２ｂを切断しながら、カーテン生地２の切断側から１ｃｍ以内の表側に上色糸１３から成る第一模様部１４を、裏側に下色糸２３から成る第二模様部２４を形成し、第一模様部１４と第二模様部２４との少なくとも一方を、カーテン生地２の切断側において表側より裏側に、又は裏側より表側に達するまで形成し、それによってカーテン生地２の切断部のほつれを防止する。
【００１９】
本発明のカーテンにおいて三色の色糸３でかがり縫いする場合、タッセル５における三色の色糸３によるかがり縫いと同様に、カーテン生地２の切断側から１ｃｍ以内の表側に上色糸１３から成る第一模様部１４を、裏側に針色糸３３から成る第二模様部２４を、第一模様部１４と第二模様部２４との間に第三模様部３４を形成し、第一模様部１４と第二模様部２４と第三模様部３４との少なくとも一方を、カーテン生地２の切断側において表側より裏側に、又は裏側より表側に達するまで形成し、それによってカーテン生地２の切断部のほつれを防止する。
【００２０】
三色の色糸３より成る代表的な連続模様４として、図９の如く表側に表側模様境界線４ａより生地の切断側に向けて波状を成す第一模様部１４を、図１０の如く裏側に裏側模様境界線４ｂより生地の切断側に向けて波状を成す第二波模様部２４を形成し、第一波模様部１４と第二波模様部２４との間に、第三模様部３４を形成している。
また、連続模様４として、第一模様部１４を裏側まで形成することも可能であるし、第二波模様部２４を表裏側まで形成することも可能であるばかりか、第三模様部３４を表側に片よって形成したり、裏側に片よって形成することも可能である。
【００２１】
二色の色糸１３，２３によるかがり縫いは実施形態に限定されるのではなく、例えば図１１の如くかがり縫いすることも可能であるし、三色の色糸１３，２３，３３によるかがり縫いも実施形態に限定されるのではなく、例えば下色糸２３に上色糸１３と針色糸３３とを絡み合わせ、針色糸３３を表側に、下色糸２３を裏側に縫い込んでも同様の目的を達成するし、図１２の如くかがり縫いすることも可能である。即ち、生地の切断部からのほつれを防止し得るものであれば自由である。
また、連続模様４は、二色の色糸１３，２３、又は三色の色糸１３，２３，３３で形成し得るものであれば自由であるし、２〜５本の色糸３でかがり縫いする場合、各色糸３の糸太さを統一することが望ましく、上色糸１３及び下色糸２３として、同色の色糸３を２本づつ用いると、ボリュウムのある連続模様４を表現し得るし、異色の色糸３を２本づつ用いると、色彩豊かな連続模様４を表現し得るばかりか、連続模様４の模様ピッチを粗く、或は細かく表現することも可能である。
【００２２】
第一実施形態のタッセル５において、帯状体８に芯材２０を介在することも可能であるし、帯状体８にボタン１５とボタンホール２５を備えることも可能である。また、第二実施形態のタッセル５において、帯状体８への芯材２０の介在を除くことも可能であるし、帯状体８の左右に紐９からなる耳部１９を備えることも可能である。
ボタンホール２５は、高周波手段と超音波手段とヒートカット手段との何れかを用い、タッセル生地６の一部を切断しながら溶着して形成し得る。
【００２３】
【発明の効果】
本発明によるカーテンは上記構造のとおりであるから、次に記載する効果を奏する。
請求項１のカーテンは、カーテン生地の少なくとも生地下端部を数色の色糸でかがり縫いし、その色糸で連続模様を形成しているから、切断部のほつれを防止しながらカーテンの装飾性（美感）を著しく向上し、独特の雰囲気を醸し出すことができる。即ち、色糸の組合わせにより多様な連続模様を表現し得るので、カーテン生地の色、柄、模様に合致した連続模様により多様な装飾性を演出し、美観を向上することもできる。
請求項２のカーテンは、請求項１記載の特徴に加えて、カーテン生地の下縁部に重りを配置して数色の色糸でかがり縫いしているので、薄手生地のカーテンに有効である。しかも生地下端部を切断しながら色糸でかがり縫いするので、生地下端部を折返し、その折返し部を縫着する従来カーテンに比べて能率的で、しかもカーテン生地のムダも少なくなるので、安価に提供し得る。
【００２４】
本発明によるタッセルは上記構造のとおりであるから、次に記載する効果を奏する。
請求項３のタッセルは、折布体の長手側折重端部を数色の色糸でかがり縫いしているので、長手側折重端部のほつれ防止加工が著しく簡単容易になり、そのことにより作業能率も向上する。しかもかがり縫いした色糸で連続模様を形成するので、装飾効果が著しく向上する。その結果、美観を重視する内装に顕著な効果を奏する。
請求項４のタッセルは、請求項３記載の特徴に加えて、折布体に芯材を介在しているので、取り扱いや包装等が容易になるし、開放カーテンの集合部に巻きつけても外形状が崩れることがなく、そのことにより美観も向上する。また切断しながら切断部をかがり縫いするので効率的であるし、切除部も最小ですむので、その分、タッセル生地を有効に活用し得る。
【００２５】
請求項５のタッセルは、請求項３，４記載の特徴に加えて、折布体の切断側の総てを数色の色糸でかがり縫いしているので、切断部のほつれ防止加工が著しく簡単容易になり、そのことにより作業能率も向上する。しかも色糸による連続模様が長手側折重端部と左右端部とに連続しているので、装飾効果も一段と向上する。
請求項６のタッセルは、請求項５記載の特徴に加えて、タッセル生地に樹脂系の糸を用い、帯状体の一部を高周波手段と超音波手段とヒートカット手段等を用いて切断しながら、その切断部を溶着してボタンホールを形成するので、ボタンホールの加工が著しく簡単容易になり、そのことにより作業能率が向上し、低価格化に貢献する。
【図面の簡単な説明】
【図１】（イ）（ロ）（ハ）（ニ）
本発明によるカーテンの斜視図とそのＺ部の処理例を示す拡大斜視図である。
【図２】（イ）（ロ）（ハ）
本発明によるタッセルの第一実施形態を示す製造工程図である。
【図３】（イ）（ロ）（ハ）（ニ）
タッセルの第二実施形態を示す製造工程図である。
【図４】（イ）（ロ）
帯状体の表側図と裏側図である。
【図５】（イ）（ロ）
二色の色糸によるかがり縫いを示す要部拡大端面図と、色糸の縫製状態を示す展開図である。
【図６】（イ）（ロ）
カーテンとタッセルにおける二色連続模様の表側図と裏側図である。
【図７】（イ）（ロ）
類例二色連続模様の表側図と裏側図である。
【図８】（イ）（ロ）
三色の色糸によるかがり縫いを示す要部拡大端面図と、色糸の縫製状態を示す展開図である。
【図９】（イ）（ロ）（ハ）（ニ）（ホ）（ヘ）（ト）
カーテンとタッセルにおける三色連続模様の表側図である。
【図１０】（イ）（ロ）（ハ）（ニ）（ホ）（ヘ）（ト）
その裏側図である。
【図１１】（イ）（ロ）
二色の色糸による類例かがり縫いを示す要部拡大端面図と、色糸の縫製状態を示す展開図である。
【図１２】（イ）（ロ）
三色の色糸による類例かがり縫いを示す要部拡大端面図と、色糸の縫製状態を示す展開図である。
【図１３】（イ）（ロ）（ハ）（ニ）
従来カーテンの斜視図とその要部Ｘ，Ｙ，Ｚの拡大斜視図である。
【図１４】（イ）（ロ）（ハ）
従来タッセルの製造工程図である。
【符号の説明】
１  カーテン
２  カーテン生地
２ａ  生地上端部、２ｂ  生地下端部、２ｃ  生地左端部、２ｄ  生地右端部
３  色糸、１３  上色糸、２３  下色糸、３３  針色糸
４  連続模様、４ａ  表側模様境界線、４ｂ  裏側模様境界線
１４  第一模様部、２４  第二模様部、３４  第三模様部
５  タッセル
６  タッセル生地
７  折布体、７ａ  折布体切断面
１７  折布表片、２７  折布裏片
８  帯状体、８ａ  長手側折重端部、８ｂ，８ｃ  左右端部
１５  ボタン、２５  ボタンホール
９  紐、１９  耳部
１１  芯地部、１２  ヒダ、１８  切除部
１０，２０  芯材
３０  重り
Ｆ，Ｆ１，Ｆ２  縫糸
【図１】
2005052241.tif 000005
【図２】
2005052241.tif 000006
【図３】
2005052241.tif 000007
【図４】
2005052241.tif 000008
【図５】
2005052241.tif 000009
【図６】
2005052241.tif 000010
【図７】
2005052241.tif 000011
【図８】
2005052241.tif 000012
【図９】
2005052241.tif 000013
【図１０】
2005052241.tif 000014
【図１１】
2005052241.tif 000015
【図１２】
2005052241.tif 000016
【図１３】
2005052241.tif 000017
【図１４】
2005052241.tif 000018